(57)【要約】 【課題】  フレキシブルプリント配線板に対して繰り返しの伸縮および脱着作業が行われても、フレキシブルプリント配線板の一部分に応力集中が起こることによって生じる破損を抑制することができるフレキシブルプリント配線板の接続構造、これを備える光ピックアップ装置および電子機器を提供する。【解決手段】  フレキシブルプリント配線板の接続構造は、電子部品搭載部と、フレキシブルプリント配線板と、フレキシブルプリント配線板の変位を抑制する押さえ板とを含み、端子部を有するフレキシブルプリント配線板の長手方向の他端部寄りの部分に臨む押さえ板の端部は、前記フレキシブルプリント配線板の前記幅方向の中央部に臨む部分よりも、前記幅方向の両端部に臨む部分が、フレキシブルプリント配線板の前記長手方向の一方寄りの部分に臨む。【選択図】      図１
2009059736.tif 000002
【特許請求の範囲】
【請求項１】
電子部品が搭載される電子部品搭載部と、
前記電子部品に電気的に接続される配線部を有し、長手方向の一端部で、かつ厚み方向の一表面が電子部品搭載部に臨んで設けられ、長手方向の他端部に、前記配線部の端子部を有するフレキシブルプリント配線板と、
前記フレキシブルプリント配線板の前記一端部の前記厚み方向の他表面に臨み、前記フレキシブルプリント配線板の変位を抑制する押さえ板とを含み、
前記フレキシブルプリント配線板の前記一端部のうち、前記他端部寄りの部分に臨む前記押さえ板の端部は、前記フレキシブルプリント配線板の幅方向の中央部に臨む部分よりも、幅方向の両端部に臨む部分が、前記フレキシブルプリント配線板の前記長手方向の一方寄りの部分に臨むことを特徴とするフレキシブルプリント配線板の接続構造。
【請求項２】
前記押さえ板の前記端部のうち、前記フレキシブルプリント配線板の前記幅方向の中央部に臨む部分の端面は、前記幅方向に直線形状に延びることを特徴とする請求項１記載のフレキシブルプリント配線板の接続構造。
【請求項３】
前記押さえ板の前記端部のうち、フレキシブルプリント配線板の前記幅方向の両端部に臨む部分は、前記厚み方向に垂直な仮想一平面上における投影面が外方に凸の円弧形状に形成されていることを特徴とする請求項２記載のフレキシブルプリント配線板の接続構造。
【請求項４】
前記押さえ板の前記端部は、前記厚み方向に垂直な仮想一平面上における投影面が外方に凸の円弧形状に形成されていることを特徴とする請求項１記載のフレキシブル配線板の接続構造。
【請求項５】
前記押さえ板のうち、前記円弧形状に形成されている部分の表面部は、合成樹脂によって形成されることを特徴とする請求項３または４記載のフレキシブルプリント配線板の接続構造。
【請求項６】
前記押さえ板は、合成樹脂によって形成されることを特徴とする請求項１〜５のいずれかに記載のフレキシブルプリント配線板の接続構造。
【請求項７】
請求項１〜６のいずれかに記載のフレキシブルプリント配線板の接続構造を含む光ピックアップ装置。
【請求項８】
請求項１〜６のいずれかに記載のフレキシブルプリント配線板の接続構造を搭載する電子機器。
【発明の詳細な説明】
【技術分野】
【０００１】
本発明は、フレキシブルプリント配線板の接続構造、これを備える光ピックアップ装置および電子機器に関する。
【背景技術】
【０００２】
フレキシブルプリント配線板は、電子機器に搭載され、特に駆動部を電気配線するために使用される。光学部品を搭載するハウジング、回路基板などにフレキシブルプリント配線板を固定する場合において、フレキシブルプリント配線板のたわみ、張出し、膨らみなどを抑制する目的のため、押さえ板を設けている。一般に、押さえ板はステンレス鋼からなる。たとえば、光ピックアップ装置の場合、フレキシブルプリント配線板を浮き上がらせない程度に押さえればよく、光ピックアップ装置全体を薄型にする要請から、押さえ板は、薄い板状に形成されている。また、押さえ板の目的はフレキシブルプリント配線板が不所望な方向に突出してしまうことなどを抑制するためであるので、押さえ板は、多少撓む程度の薄い板状に形成されていてもかまわない。
【０００３】
図８は、従来の光ピックアップ装置１０１に備えられるフレキシブルプリント配線板の接続構造を模式的に示す平面図である。図９は、光ピックアップ装置１０１に備えられるフレキシブルプリント配線板の接続構造をより詳細に示す側面図である。ディスクなどの記録媒体に対して光学的に信号の読取り、または書込みを行う光ピックアップ装置１０１は、光学部品が搭載されるハウジング１０２に、対物レンズ１０５を駆動させるアクチュエータ１０６を設置して構成され、アクチュエータ１０６などの駆動部に電気配線するためのフレキシブルプリント配線板１０３およびフレキシブルプリント配線板１０３の撓みを抑制するための押さえ板１０４が備えられている。また、図９に示すように、フレキシブルプリント配線板１０３は、長手方向の他端部に端子部１０７を有し、端子部１０７を有する表面と厚み方向に対して反対側の表面に、補強板１０８を有している。
【０００４】
フレキシブルプリント配線板の接続構造の第１の従来技術として、光ピックアップ装置のヘッド装置において、フレキシブルプリント配線板が引出されるヘッド装置の上面の角にテーパー部を形成し、テーパー部に沿った折曲形状である押さえ板でフレキシブルプリント配線板をテーパー部に沿って押さえ、ヘッド装置の上面から、フレキシブルプリント配線板を斜め下方に向けて引きだすようにしている。これによって、ヘッド装置の移動によって、フレキシブルプリント配線板の折り返しループが張り出し、被覆板の裏面に接触してフレキシブルプリント配線板が損傷することを防止している（たとえば、特許文献１参照）。
【０００５】
フレキシブルプリント配線板の接続構造の第２の従来技術として、光ピックアップ装置本体の端部に望む表面から、ディスクと反対方向に傾斜する押さえ板を光ピックアップ装置本体に設け、この押さえ板によって、フレキシブルプリント配線板の湾曲部分がディスクに向かう方向に膨らんでしまうことを抑制し、光ピックアップ装置を搭載する製品の薄型化を図っている（たとえば、特許文献２参照）。
【０００６】
【特許文献１】特開平６−２４３６０１号公報
【特許文献２】特開２０００−２５１４２１号公報
【発明の開示】
【発明が解決しようとする課題】
【０００７】
図１０は、フレキシブルプリント配線板１０３において、屈曲による応力が掛かった場合の状態を示す側面図である。図１１は、従来のフレキシブルプリント配線板１０３において、屈曲による応力が掛かかった場合に破損しやすい部分を示す平面図である。なお、図１０では、フレキシブルプリント配線板１０３において、屈曲による応力がかかる方向を矢符Ａで表している。図１０および図１１に示すように、フレキシブルプリント配線板１０３に対し、Ａ方向に屈曲による応力がかかった場合、補強板１０８に臨む押さえ板１０４の端部とフレキシブルプリント配線板１０３とが接する直線部分では、繰り返しの伸縮および脱着作業によって、折れ、曲がりが発生しやすく、また、フレキシブルプリント配線板１０３の両端部の領域Ｂの部分には応力がかかることによって、折れ、断裂が発生しやすいという問題がある。特にフレキシブルプリント配線板が駆動部を電気配線するために使用され、伸長および屈曲を繰り返すことによって、応力が加わる配線箇所および調整などの作業の際に、主基板に配設されるコネクタからフレキシブルプリント基板を頻繁に抜き差しする場合においては、前記問題が発生しやすい。
【０００８】
しかしながら、第１および第２の従来技術は、フレキシブルプリント配線板の一部分に応力集中が起こることによって生じる破損については考慮されていない。
【０００９】
本発明の目的は、フレキシブルプリント配線板に対して繰り返しの伸縮および脱着作業が行われても、フレキシブルプリント配線板の一部分に応力集中が起こることによって生じる破損を抑制することができるフレキシブルプリント配線板の接続構造、これを備える光ピックアップ装置および電子機器を提供することである。
【課題を解決するための手段】
【００１０】
本発明は、電子部品が搭載される電子部品搭載部と、
前記電子部品に電気的に接続される配線部を有し、長手方向の一端部で、かつ厚み方向の一表面が電子部品搭載部に臨んで設けられ、長手方向の他端部に、前記配線部の端子部を有するフレキシブルプリント配線板と、
前記フレキシブルプリント配線板の前記一端部の前記厚み方向の他表面に臨み、前記フレキシブルプリント配線板の変位を抑制する押さえ板とを含み、
前記フレキシブルプリント配線板の前記一端部のうち、前記他端部寄りの部分に臨む前記押さえ板の端部は、前記フレキシブルプリント配線板の前記幅方向の中央部に臨む部分よりも、前記幅方向の両端部に臨む部分が、前記フレキシブルプリント配線板の前記長手方向の一方寄りの部分に臨むことを特徴とするフレキシブルプリント配線板の接続構造である。
【００１１】
また本発明は、前記押さえ板の前記端部うち、前記フレキシブルプリント配線板の前記幅方向の中央部に臨む部分の端面は、前記幅方向に直線形状に延びることを特徴とする。
【００１２】
また本発明は、前記押さえ板の前記端部のうち、フレキシブルプリント配線板の前記幅方向の両端部に臨む部分は、前記厚み方向に垂直な仮想一平面上における投影面が外方に凸の円弧形状に形成されていることを特徴とする。
【００１３】
また本発明は、前記押さえ板の前記端部は、前記厚み方向に垂直な仮想一平面上における投影面が外方に凸の円弧形状に形成されていることを特徴とする。
【００１４】
また本発明は、前記押さえ板のうち、前記円弧状に形成されている部分の表面部は、合成樹脂によって形成されることを特徴とする。
【００１５】
また本発明は、前記押さえ板は、合成樹脂によって形成されることを特徴とする。
また本発明は、前記フレキシブルプリント配線板の接続構造を含む光ピックアップ装置である。
【００１６】
また本発明は、前記フレキシブルプリント配線板の接続構造を搭載する電子機器である。
【発明の効果】
【００１７】
本発明によれば、フレキシブルプリント配線板の接続構造は、電子部品搭載部と、フレキシブルプリント配線板と、フレキシブルプリント配線板の変位を抑制する押さえ板とを含み、端子部を有するフレキシブルプリント配線板の長手方向の他端部寄りの部分に臨む押さえ板の端部は、前記フレキシブルプリント配線板の前記幅方向の中央部に臨む部分よりも、前記幅方向の両端部に臨む部分が、フレキシブルプリント配線板の前記長手方向の一方寄りの部分に臨む。このため、フレキシブルプリント配線板の長手方向の他端部寄りの部分に臨む押さえ板の端部のうち、フレキシブルプリント配線板の幅方向の両端部に臨む部分が、フレキシブルプリント配線板に直接接することがないため、フレキシブルプリント配線板にかかる力が分散される。したがって、フレキシブルプリント配線板の一部分が繰り返しの伸縮や脱着作業のたびに押さえ板に接触し、頻繁に応力が集中することによって生じるフレキシブルプリント配線板の幅方向の両端部の折れ、断裂を防ぐことができる。
【発明を実施するための最良の形態】
【００１８】
図１は、本発明の第１の実施の形態である光ピックアップ装置１に備えられるフレキシブルプリント配線板の接続構造を模式的に示す平面図である。図２は、光ピックアップ装置１に備えられるフレキシブルプリント配線板の接続構造の一部を拡大して示す側面図である。図３は、光ピックアップ装置１に備えられるフレキシブルプリント配線板の接続構造をより詳細に示す平面図である。
【００１９】
光ディスクなどの記録媒体に対して光学的に信号の読取り、または書込みを行う光ピックアップ装置１は、電子部品が搭載される電子部品搭載部であるハウジング２に、対物レンズ５および対物レンズ５を駆動させるアクチュエータ６、ならびに図示しない発光素子および受光素子などの電子部品を搭載して構成される。アクチュエータ６などの駆動部、ならびに発光素子および受光素子などの電子部品に電気配線するためのフレキシブルプリント配線板３は、電子部品に電気的に接続される配線部を有し、長手方向の一端部１０で、かつ厚み方向の一表面がハウジング２に臨んで設けられ、長手方向の他端部１１に、配線部の端子部７を有する。また、フレキシブルプリント配線板３は、端子部７を有する表面とは、厚み方向に対して反対側の表面に臨んで補強板８が設けられている。補強板８は、端子部７と、フレキシブルプリント配線板３の端子部近傍の一部分とを補強している。
【００２０】
押さえ板４は、フレキシブルプリント配線板３の前記一端部の厚み方向の他表面に臨み、フレキシブルプリント配線板３の撓みを抑制する。押さえ板４の材質としては、ステンレス鋼や黄銅などのほかに、ABS（エービーエス），PC（ポリカーボネート），PET（ポリエチレンラレフタレート）などの合成樹脂を用いることができる。この場合、コストや重量の低減およびディスク及びフレキシブルプリント配線基板に接触した場合に傷をつけにくくするなどの効果を有する。図３において、フレキシブルプリント配線板３の一端部１０のうち、他端部１１寄りの部分に臨む押さえ板４の端部１２は、フレキシブルプリント配線板３の幅方向の中央部に臨む部分よりも、幅方向の両端部に臨む部分が、フレキシブルプリント配線板３の長手方向の一方寄りの部分に臨む。これによって、フレキシブルプリント配線板３の幅方向の両端部に臨む部分は、フレキシブルプリント配線板３の長手方向に対して傾斜する領域Ｄを形成している。
【００２１】
なお、図３では、フレキシブルプリント配線板３において、押さえ板４の厚み方向でフレキシブルプリント配線板３に臨む側から、フレキシブルプリント配線板３とは反対側に向かう方向を、屈曲による応力がかかる方向である矢符Ｃで表している。図２および図３を参照して、従来、フレキシブルプリント配線板３に対し、Ｃ方向に屈曲による応力がかかった場合、補強板８に臨む押さえ板４の端部とフレキシブルプリント配線板３とが接する部分では、繰り返しの伸縮および脱着作業によって、折れ、曲がりが発生しやすく、また、フレキシブルプリント配線板３の両端部のうち、Ｃ方向への屈曲によって押さえ板４と接する部分には、応力がかかることによって、折れ、断裂が発生しやすかったが、本実施の形態のように構成すると、Ｃ方向の曲げに対して、この部分で応力集中が起こることを抑制することができるため、破損しにくくなり、Ｃ方向への屈曲による破損に対して強くすることが可能となる。フレキシブルプリント配線板３にねじりモーメントの付与と厚み方向への曲げモーメントの付与が同時に起こったときには、フレキシブルプリント配線板３の側面部はたわむことができる。したがって、フレキシブルプリント配線板３の両端部のうち、Ｃ方向への屈曲によって押さえ板４と接する部分で、破損しやすくなることを防ぐことができる。
【００２２】
また、押さえ板４の端部１２のうち、フレキシブルプリント配線板３の幅方向の中央部に臨む部分の端面１３は、幅方向に直線形状に延びることによって、フレキシブルプリント配線板３にかかる外力を、端面１３の直線部分で受け止めることができる。このことによって、フレキシブルプリント配線板３にかかる外力を点で受け止める場合よりも、フレキシブルプリント配線板３に発生する応力集中を小さくすることができ、押さえ板４の端面１３とフレキシブルプリント配線板３が接触することによるフレキシブルプリント配線板３の損傷を抑制することができる。
【００２３】
フレキシブルプリント配線板３を含む電子機器は、第１実施形態では光ピックアップ装置としたが、フレキシブルプリント配線板を有する電子機器であれば足りる。電子機器は、フレキシブルプリント配線板を含む、たとえば携帯電話端末または情報携帯端末(     Personal Digital Assistants:略称ＰＤＡ)などであってもよい。
【００２４】
図４は、本発明の第２の実施の形態である光ピックアップ装置に備えられるフレキシブルプリント配線板の接続構造を示す平面図である。本発明の第２の実施の形態は、前述の図３と類似しており、本実施の形態の構成には前述の図３における対応する構成と同一の参照符号を付し、異なる構成についてだけ説明し、同様の構成については説明を省略する。また、矢符Ｃは、図３と同様、屈曲による応力がかかる方向を示している。
【００２５】
第２の実施の形態では、押さえ板１４の端部１６のうち、フレキシブルプリント配線板３の幅方向の両端部に臨む部分である領域Ｅは、厚み方向に垂直な仮想一平面上における投影面が外方に凸の円弧形状に形成されている。したがって、図４に示すように、押さえ板１４の端部１６のうち、領域Ｅに丸みをもたすことによって、フレキシブルプリント配線板３に対しＣ方向に屈曲による応力がかかった場合においても、フレキシブルプリント配線板３の両端部のうち、Ｃ方向への屈曲によって、押さえ板４と接する部分で応力集中が起こることを抑制することができる。応力がかかることによって、折れ、断裂が発生しやすいフレキシブルプリント配線板３の両端部のうち、Ｃ方向への屈曲によって押さえ板１４と接する部分を、破損に対して強くすることが可能となる。また、フレキシブルプリント配線板３にねじりモーメントの付与と厚み方向への曲げモーメントの付与が同時に起こったときには、フレキシブルプリント配線板３の側面部はたわむことができる。したがって、フレキシブルプリント配線板３の両端部のうち、Ｃ方向への屈曲によって、押さえ板１４と接する部分で破損しやすくなることを防ぐことができる。
【００２６】
本発明の第２実施形態では、押さえ板１４の端部１６のうち、フレキシブルプリント配線板３の幅方向の両端部に臨む部分両端部を円弧の形状としたが、他の実施形態において、円弧の形状ではなく楕円の一部を含む形状でも構わない。
【００２７】
図５は、本発明の第３の実施の形態である光ピックアップ装置に備えられるフレキシブルプリント配線板の接続構造を示す平面図である。本発明の第３の実施の形態は、前述の図３と類似しており、本実施の形態の構成には前述の図３における対応する構成と同一の参照符号を付し、異なる構成についてだけ説明し、同様の構成については説明を省略する。また、矢符Ｃは、図３と同様、屈曲による応力がかかる方向を示している。
【００２８】
第３の実施の形態では、押さえ板２４の端部１７のうち、フレキシブルプリント配線板３の幅方向の両端部に臨む領域Ｆは、厚み方向に垂直な仮想一平面上における投影面が外方に凸の円弧形状に形成され、領域Ｆの表面部は、合成樹脂によって形成される。合成樹脂は、弾性および柔軟性を有するゴム系合成樹脂が特に望ましい。合成樹脂としてはブタジエン・ポリイソプレン・アクリロニトリルなどを用いることができる。
【００２９】
フレキシブルプリント配線板３にねじりモーメントの付与と厚み方向への曲げモーメントの付与が同時に起こったときには、フレキシブルプリント配線板３の両端部のうち、Ｃ方向への屈曲によって、押さえ板２４と接する部分が破損しやすくなるが、この部分の表面は、合成樹脂によって形成されることによって、応力集中が起こることを抑制することができるとともに、摩擦力も軽減できるため、フレキシブルプリント配線板３が両端部で破損しやすくなることを防ぐことができる。
【００３０】
図６は、本発明の第４の実施の形態である光ピックアップ装置に備えられるフレキシブルプリント配線板の接続構造を示す平面図である。本発明の第４の実施の形態は、前述の図３と類似しており、本実施の形態の構成には前述の図３における対応する構成と同一の参照符号を付し、異なる構成についてだけ説明し、同様の構成については説明を省略する。また、矢符Ｃは、図３と同様、屈曲による応力がかかる方向を示している。
【００３１】
第４の実施の形態では、押さえ板３４の端部１７は、厚み方向に垂直な仮想一平面上における投影面が外方に凸の円弧形状に形成されている。したがって、図６に示すように、フレキシブルプリント配線板３に対し、Ｃ方向に屈曲による応力がかかった場合においても、領域Ｇに丸みをもたすことによって、フレキシブルプリント配線板３の両端部のうち、Ｃ方向への屈曲によって、押さえ板３４と接する部分で応力集中が起こることを抑制することができ、Ｃ方向への屈曲による破損に対して強くすることが可能となる。フレキシブルプリント配線板３にねじりモーメントの付与と厚み方向への曲げモーメントの付与が同時に起こったときには、フレキシブルプリント配線板３の側面部はたわむことができる。したがってフレキシブルプリント配線板３が両端部のうち、Ｃ方向への屈曲によって、押さえ板３４と接する部分で破損しやすくなることを防ぐことができる。
【００３２】
図７は、本発明の第５の実施の形態である光ピックアップ装置に備えられるフレキシブルプリント配線板の接続構造を示す平面図である。本発明の第５の実施の形態は、前述の図３と類似しており、本実施の形態の構成には前述の図３における対応する構成と同一の参照符号を付し、異なる構成についてだけ説明し、同様の構成については説明を省略する。また、矢符Ｃは、図３と同様、屈曲による応力がかかる方向を示している。
【００３３】
第５の実施の形態では、厚み方向に垂直な仮想一平面上における投影面が外方に凸の円弧形状に形成されている押さえ板４４の端部の表面部は、合成樹脂によって形成される。合成樹脂は、第３の実施の形態と同様、弾性および柔軟性を有するゴム系合成樹脂が特に望ましい。用いることができる合成樹脂も第３の実施の形態と同様である。フレキシブルプリント配線板３にねじりモーメントの付与と厚み方向への曲げモーメントの付与が同時に起こったときには、フレキシブルプリント配線板３の両端部のうち、Ｃ方向への屈曲によって、押さえ板４４と接する部分が破損しやすくなるが、押さえ板４４と接する部分全てが、合成樹脂によって形成されることによって、応力集中が起こることを抑制することができるとともに、摩擦力も軽減できるため、フレキシブルプリント配線板３の両端部のうち、Ｃ方向への屈曲によって、押さえ板４４と接する部分だけでなく、フレキシブルプリント配線板３前面において破損しやすくなることを防止することができる。
【００３４】
以上説明したように、本発明により、フレキシブルプリント配線板に対して繰り返しの伸縮および脱着作業が行われても、フレキシブルプリント配線板の一部分に応力集中が起こることによって生じる破損を抑制することができるフレキシブルプリント配線板の接続構造、これを備える光ピックアップ装置および電子機器を提供することができる。
【図面の簡単な説明】
【００３５】
【図１】本発明の第１の実施の形態である光ピックアップ装置１に備えられるフレキシブルプリント配線板の接続構造を模式的に示す平面図である。
【図２】光ピックアップ装置１に備えられるフレキシブルプリント配線板の接続構造の一部を拡大して示す側面図である。
【図３】光ピックアップ装置１に備えられるフレキシブルプリント配線板の接続構造をより詳細に示す平面図である。
【図４】本発明の第２の実施の形態である光ピックアップ装置に備えられるフレキシブルプリント配線板の接続構造を示す平面図である。
【図５】本発明の第３の実施の形態である光ピックアップ装置に備えられるフレキシブルプリント配線板の接続構造を示す平面図である。
【図６】本発明の第４の実施の形態である光ピックアップ装置に備えられるフレキシブルプリント配線板の接続構造を示す平面図である。
【図７】本発明の第５の実施の形態である光ピックアップ装置に備えられるフレキシブルプリント配線板の接続構造を示す平面図である。
【図８】従来の光ピックアップ装置１０１に備えられるフレキシブルプリント配線板の接続構造を模式的に示す平面図である。
【図９】光ピックアップ装置１０１に備えられるフレキシブルプリント配線板の接続構造をより詳細に示す側面図である。
【図１０】フレキシブルプリント配線板１０３において、屈曲による応力が掛かった場合の状態を示す側面図である。
【図１１】従来のフレキシブルプリント配線板１０３において、屈曲による応力が掛かかった場合に破損しやすい部分を示す平面図である。
【符号の説明】
【００３６】
１  光ピックアップ装置
２  ハウジング
３  フレキシブルプリント配線板
４  押さえ板
５  対物レンズ
６  アクチュエータ
７  端子部
【図１】
2009059736.tif 000003
【図２】
2009059736.tif 000004
【図３】
2009059736.tif 000005
【図４】
2009059736.tif 000006
【図５】
2009059736.tif 000007
【図６】
2009059736.tif 000008
【図７】
2009059736.tif 000009
【図８】
2009059736.tif 000010
【図９】
2009059736.tif 000011
【図１０】
2009059736.tif 000012
【図１１】
2009059736.tif 000013